(57)【要約】【課題】  流体スクリーン自体を移動させたり、表示又は不表示を制御することにより、映像によるより多彩な演出効果を生じさせる流体スクリーン映像表示システムとした。【解決手段】  第１の流体スクリーン１０２を形成するための第１の噴出配管を備えた第１の流体スクリーン形成装置１０１と、第１の流体スクリーン１０２に第１の映像を投射するための第１の投射装置１０３と、観賞者から見て第１の流体スクリーン１０２よりも手前に第２の流体スクリーン１０５を形成するための第２の噴出配管を備えた第２の流体スクリーン形成装置１０４と、第２の流体スクリーン１０５に第２の映像を投射するための第２の投射装置１０６と、第２の投射装置１０６が第２の映像を投射しないときは、第２の噴出配管から流体の噴出を停止させて第２の流体スクリーン１０５を形成しないように第２の流体スクリーン形成手段１０４を制御する制御装置１０７を具備した。【選択図】      図１
2005300713.tif 000002
【特許請求の範囲】
【請求項１】
噴出された流体が流体膜となって第１及び第２の流体スクリーンをそれぞれ形成するように構成された第１及び第２の噴出配管を備えた第１及び第２の流体スクリーン形成手段と、前記第１及び第２の流体スクリーンのそれぞれに映像を投射するための第１及び第２の投射手段と、前記各流体スクリーン形成手段と前記各投射手段とを制御するための制御手段と、から構成される流体スクリーン映像表示システムにおいて、
前記制御手段により、前記各流体スクリーン形成手段によってそれぞれ形成される流体スクリーンのうち、その一方を観賞者に対して手前側に、他方をその奧側に形成すると共に、前記奥側の流体スクリーンを形成時間の長い主スクリーンとし、前記手前側の流体スクリーンを前記主スクリーンより形成時間が短く、所望時間時に形成される副スクリーンとして形成するよう制御する一方、
前記各投射手段を前記形成される流体スクリーンに対応してそれぞれ制御する構成とした
ことを特徴とする流体スクリーン映像表示システム。
【請求項２】
噴出された流体が流体膜となって流体スクリーンを形成するように構成された噴出配管を備えた流体スクリーン形成手段と、前記流体スクリーンに映像を投射するための投射手段と、前記流体スクリーン形成手段と前記投射手段とを制御するための制御手段とから構成される流体スクリーン映像表示システムにおいて、
前記制御手段により、前記流体スクリーンを観賞者に対して前方向又は後方向に時間的に異ならせて形成制御するよう構成した
ことを特徴とする流体スクリーン映像表示システム。
【請求項３】
請求項１に記載の流体スクリーン映像表示システムにおいて、
前記副スクリーンを観賞者に対して前方向又は後方向に時間的に異ならせて形成制御するよう構成した
ことを特徴とする流体スクリーン映像表示システム。
【発明の詳細な説明】
【技術分野】
【０００１】
本発明は、映像を流体スクリーンに投影するための流体スクリーン映像表示システムに関し、特に流体スクリーンを制御することにより多彩な演出効果を生じさせることを狙いとした流体スクリーン映像表示システムに関する。
【背景技術】
【０００２】
野外ショーや遊園地のアトラクション等では、そのステージにおいて映写用スクリーンや壁面等に映像を投影して大画面映像を観客に見せるような場合がある。このように特に屋外で大画面映像を表示させる場合、表示スクリーンのひとつとしてウォータスクリーンが用いられることがある。このウォータスクリーンとは、ノズルに高水圧を与え噴水や滝のような水幕を形成させて映写スクリーンを形成したものである。このウォータスクリーンを用いた映像表示装置は、特許文献１に記載されたウォータスクリーン映像装置として知られている。このウォータスクリーン映像装置を用いることにより、空間上に形成した流体スクリーン上にカラー映像を投影させることができ、さも映像が空間に浮かび上がっているかの如く幻想的な視覚効果を得て映像を見ることができる。
【０００３】
また、特許文献２に記載された流体スクリーン映像装置は、１つの流体スクリーンを挟んでその両側に投射装置を設置し、これら両側の投射装置の投射光を時間的に制御するようにして各方向から眺められるようにし、多人数のための観賞あるいは宣伝用の装置としての演出効果を向上させるようにしたものである。
【特許文献１】特開平５−２７６９４号公報（従来技術）
【特許文献２】特開平５−２７６９５号公報（要約）
【発明の開示】
【発明が解決しようとする課題】
【０００４】
ところで上述したようなショーやアトラクション等においては、単に映像を投影して観客に見せるだけでなく、綺麗、迫力、驚きというような、よりエンターテイメント性のある演出をもって上映することが望まれることが多い。特許文献１に記載されたウォータスクリーン映像装置や流体スクリーン映像装置は、形成させたスクリーンに映像を投影して表示するのみの機能であるため、投射映像がさも空間に浮かび上がっているかのような幻想的な視覚効果を得ることができるのみである。この構成の映像装置では、奥行感のある視覚効果を提供したり別の映像を突如として出現させる等のエンターテイメント性の高い演出を伴った上映を可能とする構成ではなく、外部制御によってこれらの演出を制御するといった構成も有していない。
【０００５】
また、特許文献２に記載された流体スクリーン映像装置においては、前述したようにスクリーンの両側に観賞者を集めて観賞者数の増加やそれによる宣伝効果の向上は図れるものの、やはり今一つ奥行感等の臨場感に欠けるものであった。
このように、従来の流体スクリーンによる映像表示システムは、ショーやアトラクションといった視覚的な演出効果が強く要求される用途では十分に活用されにくい問題があった。
【０００６】
そこで、本発明は上述したような問題に鑑みなされたものであり、外部制御により流体スクリーンを複数形成させて多彩な映像表示を行ったり、流体スクリーンを制御によって動かしたりといったエンターテイメントの用途に好適で視覚的な演出効果の高い流体スクリーン映像表示システムを提供することを目的とする。
【課題を解決するための手段】
【０００７】
本発明は、上述した課題を解決するために以下（１）乃至（３）の手段より構成したものである。
【０００８】
（１）噴出された流体が流体膜となって第１及び第２の流体スクリーンをそれぞれ形成するように構成された第１及び第２の噴出配管を備えた第１及び第２の流体スクリーン形成手段と、前記第１及び第２の流体スクリーンのそれぞれに映像を投射するための第１及び第２の投射手段と、前記各流体スクリーン形成手段と前記各投射手段とを制御するための制御手段と、から構成される流体スクリーン映像表示システムにおいて、前記制御手段により、前記各流体スクリーン形成手段によってそれぞれ形成される流体スクリーンのうち、その一方を観賞者に対して手前側に、他方をその奧側に形成すると共に、前記奥側の流体スクリーンを形成時間の長い主スクリーンとし、前記手前側の流体スクリーンを前記主スクリーンより形成時間が短く、所望時間時に形成される副スクリーンとして形成するよう制御する一方、前記各投射手段を前記形成される流体スクリーンに対応してそれぞれ制御する構成としたことを特徴とする流体スクリーン映像表示システム。
【０００９】
（２）噴出された流体が流体膜となって流体スクリーンを形成するように構成された噴出配管を備えた流体スクリーン形成手段と、前記流体スクリーンに映像を投射するための投射手段と、前記流体スクリーン形成手段と前記投射手段とを制御するための制御手段とから構成される流体スクリーン映像表示システムにおいて、前記制御手段により、前記流体スクリーンを観賞者に対して前方向又は後方向に時間的に異ならせて形成制御するよう構成したことを特徴とする流体スクリーン映像表示システム。
【００１０】
（３）請求項１に記載の流体スクリーン映像表示システムにおいて、前記副スクリーンを観賞者に対して前方向又は後方向に時間的に異ならせて形成制御するよう構成したことを特徴とする流体スクリーン映像表示システム。
【発明の効果】
【００１１】
請求項１及び３に記載の各発明によれば、特に観賞者から見て奧側に形成された流体スクリーンを主スクリーンとし、手前側に形成された流体スクリーンを副スクリーンとし、主スクリーンを長時間形成させておきながら副スクリーンを所望のタイミングで現したり消したりする制御ができるため、観賞者は主スクリーン上映像の手前に副スクリーン上の映像が突如として現れたり消えたりするような映像を見ることができる。これにより、本発明に係る流体スクリーン映像表示システムは、エンターテイメント性の高い奥行き感や臨場感に溢れた映像効果を得ることができる。
【００１２】
請求項２及び３に記載の各発明によれば、特に流体スクリーン自体を観賞者から見て前後各方向に動かす制御ができるため、観賞者は観賞しているスクリーンが手前又は奥に移動しながら投影される映像を見ることができる。これにより、本発明に係る流体スクリーン映像表示システムは、特に迫力感のある映像表示を行うことができる。
【発明を実施するための最良の形態】
【００１３】
以下、本発明を実施するための最良の形態について図面を参照して説明する。
＜実施の形態１＞
図１は、本発明の実施の形態１に係る流体スクリーン映像表示システムの概略外観図である。同図に示すように、本流体スクリーン映像表示システムは、空間の上方に水平配置されて不図示の多数設けられたノズルから流体を下方に噴出させる第１の噴出配管を具備した第１の流体スクリーン形成装置１０１（第１の噴出配管のみを図示）と、第１の流体スクリーン形成装置１０１の第１の噴出配管から噴出された流体が流体膜を形成して投影スクリーンをなす第１の流体スクリーン１０２と、第１の流体スクリーン１０２に動画や静止画による第１の映像を投射するための第１の投射装置１０３と、空間の下方又は地上に配置されて不図示の多数設けられたノズルから流体を上方に噴出させる第２の噴出配管を具備した第２の流体スクリーン形成装置１０４（第２の噴出配管のみを図示）と、第２の流体スクリーン形成装置１０４の第２の噴出配管から噴出された流体が流体膜を形成して投影スクリーンをなす第２の流体スクリーン１０５と、第２の流体スクリーン１０５に第２の映像を投射するための第２の投射装置１０６と、第１の流体スクリーン形成装置１０１と第１の投射装置１０３と第２の流体スクリーン形成装置１０４と第２の投射装置１０６とをそれぞれ制御線を介して制御するための制御装置１０７とから構成される。
【００１４】
なお、第１の投射装置１０３及び第２の投射装置１０６それぞれには、映像信号を供給するための不図示の映像再生装置がそれぞれ接続されているものとする。
【００１５】
上記の構成による流体スクリーン映像表示システムにおいて、使用される流体は例えば水が代表的なものであるが、その他光を透過する流体であればよい。
また、第１の流体スクリーン形成装置１０１や第２の流体スクリーン形成装置１０４は、前記第１，第２の噴出配管への流体の供給手段や流体スクリーンを発生させるためのノズルを含めて周知の技術により構成することが可能であるため、実施の形態１におけるこれらの詳細な構成及びその動作については説明を省略する。
また、第１の投射装置１０３及び第２の投射装置１０６は、例えばビデオプロジェクタ、液晶プロジェクタ、ＩＬＡ（登録商標）プロジェクタ等の投射型ビデオプロジェクタである。
【００１６】
また、制御装置１０７と、第１の流体スクリーン形成装置１０１，第２の流体スクリーン形成装置１０４，第１の投射装置１０３，及び第２の投射装置１０６のそれぞれとが接続された制御線は、これら各装置が例えばＲＳ−２３２Ｃ規格やＲＳ−４８５規格等のシリアル規格に対応したシリアルインターフェースをそれぞれ具備し、このシリアルインターフェースを介して相互接続するシリアルデータ線である。この相互接続によって、制御装置１０７は前記所定のシリアル規格に基づくシリアル通信にて各装置を制御する。
【００１７】
なお、制御線は前記シリアルデータ線に限定されることなく、例えば接続される各装置同士の接続インターフェースをパラレルインターフェースにしてパラレル接続するパラレルデータ線としてもよいし、あるいは全ての装置にネットワークインターフェースを具備し、このネットワークインターフェースに接続するＬＡＮとしてもよい。
【００１８】
また、制御装置１０７は、本流体スクリーン映像表示システムを制御するためのプログラムを有し、制御装置１０７に内蔵した不図示のＣＰＵに処理実行させることとする。制御装置１０７は、前述した制御線のインターフェースを具備したパーソナルコンピュータ（以下、ＰＣ）で構成することが可能であり、その詳細な構成や動作の説明については一般的技術であるため省略する。
【００１９】
次に、以上のように構成された流体スクリーン映像表示システムの各部の配置について図２を参照して説明する。同図は、実施の形態１に係る流体スクリーン映像表示システムを第１の流体スクリーン１０２の投影面に対して側面から見た場合の、第1，第２の流体スクリーン形成装置１０１，１０４と第１，第２の投射装置１０３，１０６との配置関係の例を示した図である。同図において、第１の流体スクリーン形成装置１０１と第２の流体スクリーン形成装置１０４とは、それぞれから形成される第１の流体スクリーン１０２と第２の流体スクリーン１０５との各面が平行となるように配置される。そして、第１の投射装置１０３は第１の流体スクリーン１０１を挟んで不図示の観客と対向方向から第１の映像を投射するように配置される。そして、第２の投射装置１０６も第２の流体スクリーン１０５を挟んで前記観客と対向方向から第２の映像を投射するように配置される。ここで、上述した平行となるような配置とは厳密な意味での平行ではなく、おおよそ平行となる程度の意味である。
【００２０】
このような配置によれば、観客側から見た場合に第１の流体スクリーン１０２の手前に第２の流体スクリーン１０５が形成されることとなる。これにより、第２の流体スクリーン形成装置１０４の前記第２の噴出配管が観客の視野に入らないようにするため、この第２の噴出配管を前述した吹き上げ方式で構成して観客の視野の下方に配置させるようにすることが望ましい。
また、第１の投射装置１０３から投射される第１の映像と第２の投射装置１０６から投射される第２の映像とが大きく重なって投影される映像が見にくくならないように、予め各投射装置の配置や投射角度を設定しておく必要がある。
【００２１】
次に、実施の形態１に係る流体スクリーン映像表示システムについて、制御装置１０７の制御に基づいて、第１，第２の流体スクリーン形成装置１０１，１０４がそれぞれ第１，第２の流体スクリーン１０２，１０４を形成する動作と、第１，第２の投射装置１０３，１０６がそれぞれ第１，第２の映像を投射する動作等について説明する。
【００２２】
まず、制御装置１０７がシリアルデータ線による制御線を介して接続された、第１，第２の流体スクリーン形成装置１０１，１０４及び第１，第２の投射装置１０３，１０６の制御方法について説明する。制御装置１０７からの各装置の制御は、例えば制御装置１０７が制御対象装置に対してコマンドを送信し、このコマンドを受信した制御対象装置が受信したコマンドに基づく処理を実行した後、ステータスを制御装置１０７に返信するという処理によるものである。このステータスについては、コマンドを受信した制御対象装置が何らかの障害によって処理の実行ができないとき、エラー情報をステータスとして制御装置１０７に返信してもよい。
【００２３】
また、制御線をＬＡＮで構成した場合は、例えば第１，第２の流体スクリーン形成装置１０１，１０４及び第１，第２の投射装置１０３，１０６、並びに制御装置１０７のそれぞれに個別の識別子を予め付与しておき、制御装置１０７が制御すべき装置の識別子と前記コマンドとを組み合わせてＬＡＮに送出し、このＬＡＮに接続された各装置は自身の識別子に対応したコマンドを受信して取り込むという処理にすることができる。
【００２４】
次に、本流体スクリーン映像表示システムが、例えばショーやアトラクション等の上演において使用されるものとした場合において、制御装置１０７による具体的な各装置の制御動作の例について説明する。まず、前述の各映像再生装置が映像再生可能な状態、又は映像再生が開始された状態において、制御装置１０７の操作者は制御装置１０７のプログラムを起動実行させる。これにより、制御装置１０７に内蔵されたＣＰＵはプログラムを処理して制御線で接続された各装置の制御を開始する。
【００２５】
まず、制御装置１０７は、初期化処理として第１，第２の投射装置１０３，１０６それぞれに対して各投射装置が映像を出力しないように制御すると共に、第１，第２の流体スクリーン形成装置１０１，１０４それぞれに対して第１，第２の流体スクリーン１０２，１０５を生成しないよう制御する。
【００２６】
そして、上演の進行に基づいた本流体スクリーン映像表示システムによる上映の開始タイミングに合わせて、制御装置１０７は第１の流体スクリーン形成装置１０１に対して前記第１の噴出配管から流体を噴出させるよう制御する。次に、第１の噴出配管から流体が噴出されてから予めプログラムに設定された所定の時間、つまり噴出された流体が安定した流体膜となって第１の流体スクリーン１０２を形成するのにかかる程度の時間が経過し、前記映像再生装置が映像再生された状態になった後に、制御装置１０７は第１の投射装置１０３に対して第１の映像の投射開始を行うよう制御する。
これにより、観客は第１の流体スクリーン１０２に観客の対向から投影された第１の映像を見ることができる。
【００２７】
これにおいて、前記上映の開始タイミングは、上演の進行に連動したプログラムが制御装置１０７に提供するものであってもよいし、操作者が制御装置１０７に接続された不図示のキーボードやマウス等の入力装置による入力によって提供するものであってもよい。
【００２８】
なお、ここで第１の流体スクリーン１０２に投影された第１の映像にフォーカスのずれや画面の大きさの不整合があった場合は、制御装置１０７から第１の投射装置１０３への制御によってこれらの不具合を補正させるようにしてもよい。
【００２９】
そして、上演の進行に基づくタイミングに合わせて、制御装置１０７は第２の流体スクリーン形成装置１０４に対して前記第２の噴出配管から流体を噴出させるよう制御する。第２の噴出配管から流体が噴出されてから予めプログラムに設定された所定の時間、つまり噴出された流体が安定した流体膜となって第２の流体スクリーン１０５を形成するのにかかる程度の時間が経過し、前記映像再生装置が映像再生された状態になった後に、制御装置１０７は第２の投射装置１０６に対して第２の映像の投射開始を行うよう制御する。
これにより、観客は第１の流体スクリーン１０２よりも手前に形成された第２の流体スクリーン１０５に観客の対向から投射された第２の映像を見ることができる。
【００３０】
そして、しばらく第２の投射装置１０６の投射によって第２の映像が投影された後、上演の進行に基づくタイミングに合わせて、制御装置１０７は第２の投射装置１０６に対して第２の映像の投射を終了するよう制御する。そして、この投射終了指示と同時又は予めプログラムに設定された一定の時間遅延の後、制御装置１０７は第２の流体スクリーン形成装置１０４に対し、第２の噴出配管からの流体吹き上げ動作を停止するよう制御する。
これにより、観客は第１の流体スクリーン１０２よりも手前に形成された第２の流体スクリーン１０５に投射された第２の映像のみが消える場面を見ることができる。
【００３１】
つまり、観客は第１の流体スクリーン１０２に投影された第１の映像を見ている最中に、突如として手前に現われた第２の流体スクリーン１０５に投影された第２の映像を見ることができ、そしてこの第２の映像が突如として消えて第１の映像のみとなる場面を見ることができる。これにおいて、例えば第２の映像の出現や消去をショーやアトラクション等の上演の演出に対応したタイミングで制御させることにより、特に臨場感あふれる演出効果を得ることができる。
【００３２】
また、第１の投射装置１０３の映像入力に映像再生装置を接続し、そして第２の投射装置１０６の映像入力に撮像カメラを接続する構成としておき、例えば、観客の中から選ばれた少女を撮影用ステージにおいて撮像カメラで撮像しながら、映像再生装置による第１の流体スクリーン１０２への上映中に少女の撮像映像を第２の流体スクリーン１０４に投影して映し込むといった表示も可能である。
これにより、選ばれた観客等が上映されている映像に入りこみ、さも登場人物のようにふるまって見せることができるので、よりエンターテイメント性の高い演出効果を得ることができる。
【００３３】
さらに、明るさのみの異なる同一の映像を重ねて表示させると表示映像に奥行き感が生ずるという効果があることが知られており、例えば、第１の投射装置１０３に接続された第１の映像再生装置からは全画面の映像コンテンツを再生させ、そして第２の投射装置１０６に接続された第２の映像再生装置からは奥行き感を出したい部分の部分画面映像を再生させ、第１の映像再生装置から投射される映像の輝度を第２の映像再生装置の投射映像の輝度よりも暗めにしておいてこれらを重ね合わせて表示させることで、立体的な映像効果を得ることもできる。
【００３４】
＜実施の形態２＞
図３は、本発明の実施の形態２に係る流体スクリーン映像表示システムの概略外観図である。同図に示す構成において、実施の形態１に係る流体スクリーン映像表示システムの構成と同一のものには同一番号を付与することとし、それらについては説明を省略する。
【００３５】
同図に示すように、本流体スクリーン映像表示システムは、空間の上方に水平配置されて不図示の多数設けられたノズルから流体を下方に噴出させる第１の噴出配管を具備した第１の流体スクリーン形成装置１０１ａ（第１の噴出配管のみを図示）と、第１の流体スクリーン形成装置１０１ａと同一の構成をなし同一の高さに水平配置された第２の流体スクリーン形成装置１０１ｂ（第２の噴出配管のみを図示）と、前記同一の構成及び同一の高さに水平配置された第３の流体スクリーン形成装置１０１ｃ（第３の噴出配管のみを図示）と、第２の流体スクリーン形成装置１０１ｂの第２の噴出配管から噴出されて流体膜形成された第２の流体スクリーン１０２ｂ（第１，第３の流体スクリーン形成装置１０１ａ，１０１ｃからそれぞれ生成される流体スクリーン１０２ａ，１０２ｃは後述するがここでは不図示）と、第１乃至第３の流体スクリーン１０２ａ，１０２ｂ，及び１０２ｃのいずれか１つに映像を投射するための投射装置１０３と、第１の流体スクリーン１０１ａと第２の流体スクリーン１０１ｂと第３の流体スクリーン１０１ｃと投射装置１０３とをそれぞれ制御線を介して制御するための制御装置１０７とから構成される。
【００３６】
なお、投射装置１０３には、映像信号を供給するための不図示の映像再生装置が接続されているものとする。
【００３７】
次に、以上のように構成された本流体スクリーン映像表示システムの各部の配置について図４を参照して説明する。図４は、実施の形態２に係る流体スクリーン映像表示システムを例えば第２の流体スクリーン１０２ｂの投影面に対して側面から見た場合の、第1乃至第３の流体スクリーン形成装置１０１ａ，１０１ｂ，及び１０１ｃと投射装置１０３との配置関係の例を示した図である。同図において、第１乃至第３の流体スクリーン形成装置１０１ａ，１０１ｂ，及び１０１ｃは、それぞれが具備する第１乃至第３の噴出配管から噴出形成される第１乃至第３の流体スクリーン１０２ａ，１０２ｂ，及び１０２ｃの各面が平行となるように配置される。
【００３８】
なお、これら各面の間隔は必ずしも同一である必要はない。そして、投射装置１０３は第１乃至第３の流体スクリーン１０２ａ，１０２，及び１０２ｃを挟んで不図示の観客と対向方向から映像を投射するように配置される。ここで、前記平行となるような配置とは厳密な意味での平行はなく、おおよそ平行となる程度の意味である。
【００３９】
次に、本流体スクリーン映像表示システムが、例えばショーやアトラクション等の上演において使用されるものとした場合において、制御装置１０７による具体的な各装置の制御動作の例について説明する。まず、前述の映像再生装置が映像再生可能な状態、又は映像再生が開始された状態において、制御装置１０７の操作者は制御装置１０７のプログラムを起動実行させる。これにより、制御装置１０７に内蔵されたＣＰＵは前記プログラムを処理して制御線で接続された各装置の制御を開始する。
【００４０】
まず、制御装置１０７は、初期化処理として投射装置１０３に対して映像を出力しないように制御すると共に、第１乃至第３の流体スクリーン形成装置１０１ａ，１０１ｂ，及び１０１ｃに対して、第１乃至第３の流体スクリーン１０２ａ，１０２ｂ，及び１０２ｃを生成しないよう制御する。
【００４１】
そして、上演の進行に基づいた本流体スクリーン映像表示システムによる上映の開始タイミングに合わせて、制御装置１０７は例えば第３の流体スクリーン形成装置１０１ｃに対して前記第３の噴出配管から流体を噴出させるよう制御する。次に、第３の噴出配管から流体が噴出されてから予めプログラムに設定された所定の時間、つまり噴出された流体が安定した流体膜となって第３の流体スクリーン１０２ｃを形成するにかかる程度の時間が経過し、前記映像再生装置が映像再生された状態になった後に、制御装置１０７は投射装置１０３に対して映像の投射開始を行うよう制御する。
【００４２】
次に、制御装置１０７は、第３の流体スクリーン１０２ｃに投影された映像のフォーカスを合わせ、そして表示画面の大きさを合わせるよう投射装置１０３を制御する。これにより、観客は第３の流体スクリーン１０２ｃに観客の対向から投射される画質や画面サイズの調整のとれたクリアな映像を見ることができる。
【００４３】
そして、上演の進行に基づくタイミングに合わせて、制御装置１０７は例えば第２の流体スクリーン形成装置１０１ｂに対して前記第２の噴出配管から流体を噴出させるよう制御すると共に、第３の流体スクリーン形成装置に対して前記第３の噴出配管からの流体の噴出を停止するよう制御する。
【００４４】
次に、制御装置１０７は、投射装置１０３に対し第２の流体スクリーン１０２ｂに投影された映像のフォーカスを合わせ、そして表示画面の大きさを合わせるよう制御する。これにより、映像の投影された流体スクリーンが観客側に手前に移動することとなる。そして、同様の制御によって第１の流体スクリーン１０２ａに切り換えることにより、更に流体スクリーンが観客側に移動することとなる。
【００４５】
また、第１の流体スクリーン１０２ａに映像が投影された状態において、制御装置１０７は、例えば第２の流体スクリーン形成装置１０１ｂに対して前記第２の噴出配管から流体を噴出させるよう制御すると共に、第１の流体スクリーン形成装置に対して前記第１の噴出配管からの流体の噴出を停止するよう制御する。次に、制御装置１０７は、投射装置１０３に対し第２の流体スクリーン１０２ｂに投影された映像のフォーカスを合わせ、そして表示画面の大きさを合わせるよう制御する。これにより、映像の投影された流体スクリーンが観客側から奥に移動することとなる。
【００４６】
上述したように、制御装置１０７が第１乃至第３の流体スクリーン形成装置１０１ａ，１０１ｂ，及び１０１ｃを並んでいる順に１つずつ切り換えることにより、観客は観賞しているスクリーンが手前又は奥に移動しながら投影される映像を見ることができる。これにより、本流体スクリーン映像表示システムは、例えば流体スクリーンの移動をショーやアトラクション等の上演の演出に対応したタイミングで制御させることにより、特に迫力感のある映像表示を行うことができる。
そして、特に流体スクリーンは流体膜であるため、本実施の形態２に係る流体スクリーン映像表示システムのように３つの噴出配管を順次切り換えることにより、動きの早いくスクリーン移動を実現することができる。
【００４７】
＜実施の形態３＞
図５は、本発明の実施の形態３に係る流体スクリーン映像表示システムの概略外観図である。同図を見て明らかなように、本実施の形態３は実施の形態１と実施の形態２とを組み合わせた形態例である。
【００４８】
同図に示すように、本流体スクリーン映像表示システムは、第１の流体スクリーン形成装置１０１（第１の噴出配管のみ図示）と、第１の流体スクリーン形成装置１０１によって生成された第１の流体スクリーン１０２と、第１の流体スクリーン１０２に第１の映像を投射するための第１の投射装置１０３と、第２乃至第４の流体スクリーン形成装置１０４ａ，１０４ｂ，及び１０４ｃ（それぞれ第２乃至第４の噴出配管のみ図示）と、第３の流体スクリーン形成装置１０４ｂによって形成された第３の流体スクリーン１０５ｂ（第２，第３の流体スクリーン形成装置１０４ａ，１０４ｃからそれぞれ生成される流体スクリーン１０５ａ，１０５ｃは後述するがここでは不図示）と、第２乃至第４の流体スクリーン１０５ａ，１０５ｂ，及び１０５ｃに第２の映像を投射するための第２の投射装置１０６と、第１乃至第４の流体スクリーン形成装置１０１，１０４ａ，１０４ｂ，及び１０４ｃと第１，第２の投射装置１０３，１０６とをそれぞれ制御線を介して制御するための制御装置１０７とから構成される。
【００４９】
なお、第１の投射装置１０３及び第２の投射装置１０６それぞれには、映像信号を供給するための不図示の映像再生装置がそれぞれ接続されているものとする。
【００５０】
次に、以上のように構成された本流体スクリーン映像表示システムの各部の配置について図６を参照して説明する。同図は、実施の形態３に係る流体スクリーン映像表示システムを第１の流体スクリーン１０２の投影面に対して側面から見た場合の、第1乃至第４の流体スクリーン形成装置１０１，１０４ａ，１０４ｂ，及び１０４ｃと第１，第２の投射装置１０３，１０６との配置関係の例を示した図である。同図において、第１の流体スクリーン形成装置１０１と第２乃至第４の流体スクリーン形成装置１０４ａ，１０４ｂ，及び１０４ｃとは、それぞれの流体スクリーン形成装置から形成される第１の流体スクリーン１０２と第２乃至第４の流体スクリーン１０５ａ，１０５ｂ，及び１０５ｃとの各面が平行となるように配置される。そして、第１の投射装置１０３は第１の流体スクリーン１０１を挟んで不図示の観客と対向方向から第１の映像を投射するように配置される。そして、第２の投射装置１０６も第２乃至第４の流体スクリーン１０５ａ，１０５ｂ，及び１０５ｃを挟んで前記観客と対向方向から第２の映像を投射するように配置される。ここで、前記平行となるような配置とは厳密な意味での平行はなく、おおよそ平行となる程度の意味である。
【００５１】
以上の構成による本流体スクリーン映像表示システムによれば、観客は第１の流体スクリーン１０２に投影された第１の映像を見ている最中に、突如として手前に現われた第２乃至第４の流体スクリーン１０５ａ，１０５ｂ，又は１０５ｃのいずれか１つの流体スクリーンに投射された第２の映像を見ることができ、そしてこの第２の映像が突如として消えて第１の映像のみとなる場面を見ることができる。これにおいて、例えば第２の映像の出現や消去をショーやアトラクション等の上演の演出に対応したタイミングで制御させることにより、特に臨場感あふれる演出効果を得ることができる。
【００５２】
さらに、第２乃至第４の流体スクリーン形成装置１０５ａ，１０５ｂ，及び１０５ｃを並んでいる順に１つずつ切り換えることにより、観客は観賞している第１の流体スクリーン１０２の手前に位置している流体スクリーンが手前又は奥に移動しながら投影される映像を見ることができる。これにより、本流体スクリーン映像表示システムは、例えば手前の流体スクリーンの移動をショーやアトラクション等の上演の演出に対応したタイミングで制御させることにより、特に迫力感のある映像表示を行うことができる。
【００５３】
そして、特に流体スクリーンは流体膜であるため、本実施の形態３に係る流体スクリーン映像表示システムのように３つの噴出配管を順次切り換えることにより、動きの早いくスクリーン移動を実現することができる。
【００５４】
＜実施の形態４＞
実施の形態４に係る流体スクリーン映像表示システムは、実施の形態２に示した３つの流体スクリーン形成装置を順次切り換えて、形成される流体スクリーンを移動させるという手段を、１つの流体スクリーン形成装置の噴出配管を駆動装置で移動させることによって、形成される流体スクリーンを移動させるという手段に置き換えたものである。
【００５５】
図７に実施の形態４に係る流体スクリーン映像表示システムの概略外観図を示す。同図において、流体スクリーン形成装置１０１には、駆動装置１０８が噴出配管を観客から見て前後に水平移動させるために具備されており、制御手段１０７によって制御される。
なお、同図はあくまでも概略構成図であり、同図によれば駆動装置１０８が駆動して流体スクリーン形成装置１０１の噴出配管を移動させる構成について、その詳細を省略しているが、これらの構成は周知の技術により実現可能であるため省略する。
【００５６】
上記の構成において、制御手段１０７は、流体スクリーン形成装置１０１の水平移動と、移動に伴う投射装置１０３のフォーカス合わせと表示画像の大きさ合わせとを、流体スクリーン形成装置１０１の移動速度に応じた時間間隔により制御する。
【００５７】
上述したように、制御装置１０７が駆動装置１０８を制御して流体スクリーン形成装置１０１の噴出配管を水平に移動させることにより、観客は観賞しているスクリーンが手前又は奥に移動しながら投影される映像を見ることができる。これにより、本流体スクリーン映像表示システムは、例えば流体スクリーンの移動をショーやアトラクション等の上演の演出に対応したタイミングで制御させることにより、特に迫力感のある映像表示を行うことができる。
【００５８】
なお、特に本実施の形態４においては、流体スクリーンの移動が駆動装置１０８によってなされるため、動きのなめらかなスクリーン移動を実現することができる。
【００５９】
＜実施の形態５＞
実施の形態５に係る流体スクリーン映像表示システムは、実施の形態３に示した３つの流体スクリーン形成装置を順次切り換えて、形成される流体スクリーンを移動させるという手段を、実施の形態４に示したように１つの流体スクリーン形成装置の噴出配管を駆動装置で移動させることによって、形成される流体スクリーンを移動させるという手段に置き換えたものである。
【００６０】
図８に実施の形態５に係る流体スクリーン映像表示システムの概略外観図を示す。同図において、第２の流体スクリーン形成装置１０４には、駆動装置１０８が第２の噴出配管を観客から見て前後に水平移動させるために具備されており、制御手段１０７によって制御される。
なお、同図はあくまでも概略構成図であり、同図によれば駆動装置１０８が駆動して第２の流体スクリーン形成装置１０４の第２の噴出配管を移動させる構成について、その詳細を省略しているが、これらの構成は周知の技術により実現可能であるため省略する。
【００６１】
上記の構成において、制御手段１０７は、第２の流体スクリーン形成装置１０４の移動と、移動に伴う第２の投射装置１０６のフォーカス合わせと表示画像の大きさ合わせとを、第２の流体スクリーン形成装置１０４の移動速度に応じた時間間隔により制御する。
【００６２】
以上の構成による本流体スクリーン映像表示システムによれば、観客は第１の流体スクリーン１０２に投影された第１の映像を見ている最中に、突如として手前に現われた第２流体スクリーン１０５に投射された第２の映像を見ることができ、そしてこの第２の映像が突如として消えて第１の映像のみとなる場面を見ることができる。これにおいて、例えば第２の映像の出現や消去をショーやアトラクション等の上演の演出に対応したタイミングで制御させることにより、特に臨場感あふれる演出効果を得ることができる。
【００６３】
さらに、制御装置１０７が駆動装置１０８を制御して第２の流体スクリーン形成装置１０４の噴出配管を水平に移動させることにより、観客は観賞している第１の流体スクリーン１０２の手前に位置している第２の流体スクリーン１０５が手前又は奥に移動しながら投影される映像を見ることができる。これにより、本流体スクリーン映像表示システムは、例えば手前の流体スクリーンの移動をショーやアトラクション等の上演の演出に対応したタイミングで制御させることにより、特に迫力感のある映像表示を行うことができる。
【００６４】
なお、特に本実施の形態５においては、流体スクリーンの移動が駆動装置１０８によってなされるため、動きのなめらかなスクリーン移動を実現することができる。
【００６５】
＜実施の形態６＞
実施の形態６に係る流体スクリーン映像表示システムは、実施の形態４に示したような噴出配管を水平に移動させるよう構成された駆動装置１０８を噴出配管を軸として観客から見て前後に回転させるよう構成された回転駆動装置に置き換えたものである。
【００６６】
図９に実施の形態６に係る流体スクリーン映像表示システムの概略外観図を示す。同図において、流体スクリーン形成装置１０１には、回転駆動装置１０９が噴出配管を観客から見て前後に振れるように具備されており、制御手段１０７によって制御される。
なお、同図はあくまでも概略構成図であり、同図によれば回転駆動装置１０９が駆動して流体スクリーン形成装置１０１の噴出配管を回転させる構成について、その詳細を省略しているが、これらの構成は周知の技術により実現可能であるため省略する。
【００６７】
上記の構成において、制御手段１０７は、流体スクリーン形成装置１０１の回転と、この回転に伴う投射装置１０３のフォーカス合わせと表示画像の大きさ合わせとを、流体スクリーン形成装置１０１の移動速度に応じた時間間隔により制御する。
【００６８】
上述したように、制御装置１０７が回転駆動装置１０９を制御して流体スクリーン形成装置１０１の噴出配管を前後に回転動させることにより、観客は観賞しているスクリーンが手前に迫り又は奥に引き込みながら投影される映像を見ることができる。これにより、本流体スクリーン映像表示システムは、例えば流体スクリーンの移動をショーやアトラクション等の上演の演出に対応したタイミングで制御させることにより、特に迫力感のある映像表示を行うことができる。
【００６９】
なお、本実施の形態６においては、流体スクリーン１０２の振れ角度は観客からの見やすさや、投射装置１０３から投射された映像のフォーカスずれや、表示画面の形等に影響が出ない範囲、例えば流体スクリーン１０２の垂下状態から前後１０度以内程度である。
【００７０】
＜実施の形態７＞
実施の形態７に係る流体スクリーン映像表示システムは、実施の形態５に示したような噴出配管を水平に移動させるよう構成された駆動装置１０８を噴出配管を軸として観客から見て前後に回転させるよう構成された回転駆動装置に置き換えたものである。
【００７１】
図１０に実施の形態７に係る流体スクリーン映像表示システムの概略外観図を示す。同図において、第２の流体スクリーン形成装置１０４には、回転駆動装置１０９が噴出配管を観客から見て前後に振れるように具備されており、制御手段１０７によって制御される。
なお、同図はあくまでも概略構成図であり、同図によれば回転駆動装置１０９が駆動して第２の流体スクリーン形成装置１０４の噴出配管を回転させる構成について、その詳細を省略しているが、これらの構成は周知の技術により実現可能であるため省略する。
【００７２】
上記の構成において、制御手段１０７は、第２の流体スクリーン形成装置１０４の回転と、この回転に伴う第２の投射装置１０６のフォーカス合わせと表示画像の大きさ合わせとを、第２の流体スクリーン形成装置１０４の移動速度に応じた時間間隔により制御する。
【００７３】
以上の構成による本流体スクリーン映像表示システムによれば、観客は第１の流体スクリーン１０２に投影された第１の映像を見ている最中に、突如として手前に現われた第２流体スクリーン１０５に投射された第２の映像を見ることができ、そしてこの第２の映像が突如として消えて第１の映像のみとなる場面を見ることができる。これにおいて、例えば第２の映像の出現や消去をショーやアトラクション等の上演の演出に対応したタイミングで制御させることにより、特に臨場感あふれる演出効果を得ることができる。
【００７４】
さらに、制御装置１０７が回転駆動装置１０９を制御して第２の流体スクリーン形成装置１０４の噴出配管を前後に回転させることにより、観客は観賞している第１の流体スクリーン１０２の手前に位置している第２の流体スクリーン１０５が手前に迫り又は奥に引き込みながら投影される映像を見ることができる。これにより、本流体スクリーン映像表示システムは、例えば手前の流体スクリーンの移動をショーやアトラクション等の上演の演出に対応したタイミングで制御させることにより、特に迫力感のある映像表示を行うことができる。
【００７５】
なお、実施の形態２及び実施の形態３に係る流体スクリーン映像表示システムにおいては、３つの流体スクリーン形成装置を切り換え可能な例として説明したが、更に多数の切り換え可能な流体スクリーン形成装置を用いて構成してもよいことは言うまでもない。
【００７６】
また、実施の形態２乃至７において詳述したように、流体スクリーン形成装置を複数配置して流体を噴出させる形成装置を選択制御すること、若しくは駆動装置を設けて流体スクリーン形成装置を移動制御すること、又は回転駆動装置を設けて流体スクリーン形成装置を軸回転制御すること等は、形成される流体スクリーンを時間的に異ならせて形成制御する具体的制御例を指すものである。
【００７７】
また、実施の形態１乃至実施の形態７に係る流体スクリーン映像表示システムにおいては、制御装置１０７は映像再生装置や撮像カメラを制御しない構成としたが、これら映像ソース源も制御装置１０７で制御させる構成としてもよい。
また、制御装置１０７の流体スクリーンの切り換え制御は、前述したような流体スクリーン形成装置の並び順に１つずつ切り換えるだけでなく、例えば２つおきの並び順で切り換えるものやランダムに切り換える等、自在な切り換えを行うように制御してもよい。
【００７８】
また、これら複数の流体スクリーン形成装置とは、流体の供給手段を含めた装置そのものを複数備えることはもとより、流体の供給手段は１つであって噴出配管を複数備えて噴出を切換制御するという方式であってもよい。
そしてまた、本実施の形態７においては、流体スクリーン１０５の振れ角度は観客からの見やすさや、第２の投射装置１０６から投射された映像のフォーカスずれや、表示画面の形等に影響が出ない範囲、例えば第２の流体スクリーン１０５の垂直状態から前後１０度以内程度である。
【００７９】
さらにまた、実施の形態３，実施の形態５，又は実施の形態７において、駆動装置や回転駆動装置等によって移動される流体スクリーンはいずれも観客手前側の流体スクリーンであるとして実施の形態例を説明したが、実施の形態２，実施の形態４，又は実施の形態６に示したような観客から見て奥側の流体スクリーンが移動する構成の流体スクリーン形成装置と組み合わせても良い。
【産業上の利用可能性】
【００８０】
本発明に係る流体スクリーン映像表示システムを用いることにより、例えば遊園地のアトラクションやサーカス等のショーや新商品の展示会等において、大仕掛けのアトラクションの進行や演出をＰＣ等で自動制御している場合に、本システムの制御装置をこれに連動させることにより、よりエンターテイメント性の高い演出効果を奏する映像システムとして有用である。
【図面の簡単な説明】
【００８１】
【図１】本発明の実施の形態１に係る流体スクリーン映像表示システムの概略外観図である。
【図２】本発明の実施の形態１に係る流体スクリーン映像表示システムを第１の流体スクリーン１０２の投影面に対して側面から見た場合の、第1，第２の流体スクリーン形成装置１０１，１０４と第１，第２の投射装置１０３，１０６との配置関係の例を示した図である。
【図３】図３は、本発明の実施の形態２に係る流体スクリーン映像表示システムの概略外観図である。
【図４】図４は、本発明の実施の形態２に係る流体スクリーン映像表示システムを例えば第２の流体スクリーン１０２ｂの投影面に対して側面から見た場合の、第1乃至第３の流体スクリーン形成装置１０１ａ，１０１ｂ，及び１０１ｃと投射装置１０３との配置関係の例を示した図である。
【図５】図５は、本発明の実施の形態３に係る流体スクリーン映像表示システムの概略外観図である。
【図６】図６は、本発明の実施の形態３に係る流体スクリーン映像表示システムを第１の流体スクリーン１０２の投影面に対して側面から見た場合の、第1乃至第４の流体スクリーン形成装置１０１，１０４ａ，１０４ｂ，及び１０４ｃと第１，第２の投射装置１０３，１０６との配置関係の例を示した図である。
【図７】図７は、本発明の実施の形態４に係る流体スクリーン映像表示システムの概略外観図である。
【図８】図８は、本発明の実施の形態５に係る流体スクリーン映像表示システムの概略外観図である。
【図９】図９は、本発明の実施の形態６に係る流体スクリーン映像表示システムの概略外観図である。
【図１０】図１０は、本発明の実施の形態７に係る流体スクリーン映像表示システムの概略外観図である。
【符号の説明】
【００８２】
１０１  第１の流体スクリーン形成装置
１０２  第１の流体スクリーン
１０３  第１の投射装置
１０４  第２の流体スクリーン形成装置
１０５  第２の流体スクリーン
１０６  第２の投射装置
１０７  制御装置
【図１】
2005300713.tif 000003
【図２】
2005300713.tif 000004
【図３】
2005300713.tif 000005
【図４】
2005300713.tif 000006
【図５】
2005300713.tif 000007
【図６】
2005300713.tif 000008
【図７】
2005300713.tif 000009
【図８】
2005300713.tif 000010
【図９】
2005300713.tif 000011
【図１０】
2005300713.tif 000012